(57)【要約】【課題】  着火器の上部に装着されるノズルキャップの落下衝撃による変形等による外れを堅固に防止する構造を設ける。【解決手段】  器具本体２の上部に着火部３の周囲上方を覆うノズルキャップ６の取り付けにおいて、器具本体２はヤスリ車51を支承する支柱23の外面に第１係合受け部26、支柱23の後端下部に第２係合受け部27、炎長調整部材32の回動範囲を規制する受け部28を備え、ノズルキャップ６は両側壁61に第１係合受け部26に係合可能な抜止用の第１係合部66、両側壁の後部下端に第２係合受け部27に内側から係合する拡開阻止用の第２係合部67、両側壁の前部に内側に折り曲げられ受け部28に前方より係止する係止部68、天面後部にヤスリ車51に延びて横車52の間に係止する拡開阻止用の挟入部69を備えてなる。【選択図】          図２
2005077061.tif 000002
【特許請求の範囲】
【請求項１】
燃料ガスを貯蔵する器具本体の上部に、ガスを噴出するノズルと炎長調整部材を有する着火部と、前記ノズルからのガスの噴出を開閉する作動レバーと、ヤスリ車の両側に横車を有し噴出ガスへの点火を行う点火機構とを備え、前記器具本体の着火部の周囲の上方を覆うノズルキャップが取り付けられた着火器において、
前記器具本体は、上方に突設され前記ヤスリ車を支承する支柱の外面に形成された第１係合受け部と、該支柱の後端下部に設置された第２係合受け部と、前記炎長調整部材のレバー部の回動範囲を規制する受け部とを備え、
前記ノズルキャップは、両側壁に内方に突出し前記支柱の第１係合受け部に係合可能な抜け止め用の第１係合部と、両側壁の後部下端に下方に突出して前記第２係合受け部に内側から係合する拡開阻止用の第２係合部と、両側壁の前部に内側に折り曲げられ前記受け部に前方より係止可能な係止部と、天面の後部に前記ヤスリ車の方向に延びて前記横車の間に突出した拡開阻止用の挟入部とを備えてなることを特徴とするノズルキャップ外れ防止構造。
【発明の詳細な説明】
【技術分野】
【０００１】
本発明は、ライター等の着火器の上部に装着されるノズルキャップに関し、特に衝撃が加わった際のノズルキャップ外れ防止構造に関するものである。
【背景技術】
【０００２】
一般に、ガスライター等の着火器は噴出ノズルによる着火部から噴出させた燃料ガスに点火機構によって点火し、燃焼させるものであるが、その燃焼において噴出ノズルや炎調整リング等の内部の保護を兼ね、安定した燃焼を得ると共に、燃焼炎の熱を器具本体に伝達するのを防ぐ断熱作用のため、上記噴出ノズルの周囲を覆うノズルキャップが器具本体の上部に取り付けられている。
【０００３】
上記ノズルキャップは金属板のプレス加工によって形成され、器具本体の上部に装着されているが、落下等の外部衝撃の作用に伴ってノズルキャップが変形し器具本体より外れる場合があり、その外れを防止する構造が付設されている（例えば、特許文献１参照）。
【０００４】
その一例としての特許文献１の構造を、図３に基づいて説明する。この着火器１００における器具本体１０２に対するノズルキャップ１０６の取り付け構造は、次のようになっている。器具本体１０２の上部の両側部に上方に延びる支柱１２３が突設され、この支柱１２３の側面には凹状の第１係合受け部１２６を有する。一方、ノズルキャップ１０６は金属板のプレス加工によって形成され、前面部に対し両側の側壁が内側に弾性を持って連設され、その側壁に内方に突出形成された第１係合部１６６を備える。このノズルキャップ１０６を上方より器具本体１０２に装着した際に、その第１係合部１６６が上記支柱１２３の第１係合受け部１２６に挿入係合され、第１係合部１６６の上端が第１係合受け部１２６の凹部上端に係合して、ノズルキャップ１０６の上方への抜け止めを行っている。また、ノズルキャップ１０６の両側壁の後部側縁部が内方に折り曲げられ、その下端部に下方に突出して形成された第２係合部１６７を備える。この第２係合部１６７が器具本体１０２の上端内縁の第２係合受け部１２７に係止して、ノズルキャップ１０６の側壁の外側への拡開変形を阻止する構造が付設されて、ノズルキャップ１０６の外部衝撃に伴う変形による外れを防止する構造が採用されている。
【特許文献１】特開平１１−１６６７２６号公報
【発明の開示】
【発明が解決しようとする課題】
【０００５】
上記のような着火器におけるノズルキャップの取り付け構造では、ノズルキャップに加えられる外力に対して、ノズルキャップが容易に変形しない強度を有している必要があるが、着火器のデザイン上の都合などにより、ノズルキャップに充分な強度が付与できないときは、加えられる外力の方向、回数等でノズルキャップに変形が生じて外れる場合があった。
【０００６】
また、ノズルキャップに塗装を施した場合には、表面が塗装によって平滑となり未塗装品に比べ外れやすくなる傾向にある。
【０００７】
そこで本発明はこの点に鑑み、ノズルキャップの変形に伴う器具本体からの外れをより確実に防止する構造を付加したノズルキャップ外れ防止構造を提供することを目的とする。
【課題を解決するための手段】
【０００８】
本発明のノズルキャップ外れ防止構造は、燃料ガスを貯蔵する器具本体の上部に、ガスを噴出するノズルと炎長調整部材を有する着火部と、前記ノズルからのガスの噴出を開閉する作動レバーと、ヤスリ車の両側に横車を有し噴出ガスへの点火を行う点火機構とを備え、前記器具本体の着火部の周囲の上方を覆うノズルキャップが取り付けられた着火器において、
前記器具本体は、上方に突設され前記ヤスリ車を支承する支柱の外面に形成された第１係合受け部と、該支柱の後端下部に設置された第２係合受け部と、前記炎長調整部材のレバー部の回動範囲を規制する受け部とを備え、
前記ノズルキャップは、両側壁に内方に突出し前記支柱の第１係合受け部に係合可能な抜け止め用の第１係合部と、両側壁の後部下端に下方に突出して前記第２係合受け部に内側から係合する拡開阻止用の第２係合部と、両側壁の前部に内側に折り曲げられ前記受け部に前方より係止可能な係止部と、天面の後部に前記ヤスリ車の方向に延びて前記横車の間に突出した拡開阻止用の挟入部とを備えてなることを特徴とするものである。
【発明の効果】
【０００９】
以上のような本発明のノズルキャップの外れ防止構造によれば、ノズルキャップの側部、後部に配設した各係合部が対応する器具本体の各部に係合して、また衝撃が加わった際にのみ一時的に係止部、挟入部が器具本体の各部に係止してノズルキャップの変形を阻止するようにしたことにより、ノズルキャップが外れるのを有効に防止でき、落下衝撃等によってノズルキャップに変形力が作用しても、堅固なノズルキャップの外れ防止機能が得られる。
【００１０】
特に、着火器のデザイン上の都合により、ノズルキャップの強度が十分に確保できない形態においても、複数箇所での係合・係止構造によって、ノズルキャップの変形が阻止でき、ノズルキャップ単体では変形しやすいものでも、外力によってノズルキャップが変形しずらくなり、容易に外れないという効果がある。また、塗装を施したノズルキャップでも、係合部、係止部などが外れ難くなり、外力によって容易に外れないという効果がある。
【発明を実施するための最良の形態】
【００１１】
以下、図面に示す実施の形態に基づいて本発明を詳細に説明する。図１は一実施形態のノズルキャップ外れ防止構造を有する着火器の上部構造を示す斜視図、図２は図１の着火器のノズルキャップを装着する前の分離状態を示す斜視図である。なお、以下の説明では、着火器の使用態様に基づき、図１における左方を前方、右方を後方と表記している。
【００１２】
着火器１の基本構造は、従来公知の構造と同様のものであり、下部のタンク部分に燃料ガスを貯蔵する器具本体２の上部には、前部に燃料ガスを噴出し炎を発生するノズル３１および炎長調整部材３２を有する着火部３が設置され、この着火部３のノズル３１を引き上げてガスの噴出を開閉する作動レバー４を前部から後部に延びて備える。さらに、器具本体２の上部における中間部の両側に突設された支柱２３に保持され、ノズル３１より噴出したガスに着火するヤスリ式の点火機構５を備えている。そして、上記着火部３のノズル３１の周囲、すなわち器具本体２の前部上方から支柱２３の側方を覆うノズルキャップ６が取り付けられる。
【００１３】
器具本体２は、プラスチック製で内部にブタンガス等の燃料ガスを貯蔵するタンク部分を備え、このタンク部分とは別体にその上部に中間ケース２１が嵌着されてなる。貯蔵された燃料ガスの噴出量を制御する公知のバルブ機構（不図示）がタンク部分の蓋部分に設置され、このバルブ機構の中心部に配設された前記ノズル３１が器具本体２の中間ケース２１の上面から上部に突出している。この中間ケース２１には、略中央に点火機構５の発火石を収納する上下方向に延びる有底の筒部（不図示）を有するとともに、この筒部を挟んで左右両側に、中間ケース２１の上面から上方に指向して相対向する立壁状の支柱２３が突設されている。
【００１４】
上記ノズル３１には、前記作動レバー４の一端部に形成されたノズル係合部４１が係合され、このノズル３１の下部外周部分には内部のバルブ機構に連係してノズル３１からのガス噴出量を調整する炎長調整部材３２が設置されている。
【００１５】
前記中間ケース２１の上部に、ノズル３１の周囲すなわち中間ケース２１の外形に沿う前部上方から左右支柱２３の側方を覆って装着されるノズルキャップ６は、金属板の打ち抜きプレス成形よりなり、器具本体２と同じ幅で外側面と平行に延びる両側の側壁６１と、これを連結する湾曲した前壁６２と、上面を形成する天面６３とを有し、後方部分は後面が開放し、両側壁６１は内側に狭まる方向に弾性が与えられ、器具本体２の支柱２３に外側から嵌合して係止する。
【００１６】
ノズルキャップ６の上面となる天面６３は、両側壁６１および前壁６２の上端から内方に屈曲して延設されてなり、該天面６３にはノズル３１の上方に円形状の火口６４が開口され、この火口６４によって炎を上方に導出する。さらに、この火口６４より後方部分の天面６３には、中央に天面隙間６５が設けられて拡開変形可能に弾性が付与されている。
【００１７】
点火機構５は、円筒状のヤスリ車５１と、該ヤスリ車５１の両側に一体に回転するように固着されたヤスリ車５１より外径が大きい横車５２と、上記ヤスリ車５１の底部周面に不図示の石押しスプリングで付勢されて圧接する発火石とからなり、該発火石および石押しスプリングは前記中間ケース２１の筒部に収容され、発火石は上下方向に出没移動可能である。前記横車５２の両側面中心には回転軸５３が突出し、両側の回転軸５３が前記中間ケース２１の左右の支柱２３の上部に開口された軸受穴２４にそれぞれ挿入され、回転可能に支持されている。
【００１８】
前記作動レバー４は、前記支柱２３の間を通り器具本体２の中間ケース２１上に前後方向に延びて配設されている。作動レバー４は合成樹脂からなり、一端にノズル係合部４１が、他端の上面に押圧部４２が形成されている。上記ノズル係合部４１は、前端からノズル３１の先端首部が係合するスリット状の溝を有する。
【００１９】
次に、ノズルキャップ６の外れ防止構造を説明する。前記器具本体２は、前記支柱２３の外面に形成された第１係合受け部２６と、支柱２３の後端下部に設置された第２係合受け部２７と、炎長調整部材３２のレバー部３２ａの回動範囲を規制する受け部２８とを備える。一方、ノズルキャップ６は、両側壁６１に内方に突出し前記支柱２３の第１係合受け部２６に係合可能な抜け止め用の第１係合部６６と、両側壁６１の後部下端に下方に突出して前記第２係合受け部２７に内側から係合する拡開阻止用の第２係合部６７と、両側壁６１の前部に内側に折り曲げられ前記受け部２８とレバー部３２ａとの間に配置される係止部６８と、天面６３の後部に前記ヤスリ車５１の方向に延びて前記横車５２の間に突出した拡開阻止用の挟入部６９とを備えてなる。
【００２０】
具体的には、前記ノズルキャップ６の両側壁６１の下部側に内方に突出形成された第１係合部６６は、下部が側壁６１との接合部分から内方および上方に向いた傾斜面に形成され、上部が側壁６１と略平行に設けられ、上端が前後方向に延びて設けられている。一方、前記器具本体２の支柱２３の第１係合部６６は、矩形凹状で上端が第１係合部６６の上端と係止可能に設けられ、上記第１係合部６６との係合状態においてはノズルキャップ６の上方および前後方向への移動を規制する。
【００２１】
また、前記ノズルキャップ６は、両側壁６１の後端縁が内側に屈曲されて内方に突出し、支柱２３の後面に沿うように形成された左右フランジ部６１ａを備え、この左右フランジ部６１ａの下端部に、さらに下方に延びる第２係合部６７がそれぞれ設けられている。この第２係合部６７は、器具本体２の中間ケース２１の上面より突出した第２係合受け部２７の内側に係止するよう下方に延びるもので、その先端部の角部は斜面に形成されている。第２係合部６７と第２係合受け部２７の係止により、ノズルキャップ６の側壁６１の拡開変形を阻止する。なお、この第２係合部６７および第２係合受け部２７は、図３に示した従来構造における第２係合部１６７および第２係合受け部１２７と、同等の構成および機能を有している。
【００２２】
また、ノズルキャップ６の前壁６２の下部には、炎長調整部材３２のレバー部３２ａが移動可能な横方向に延びる切欠き部６２ａを有し、この切欠き部６２ａの両端部の側壁６１の前端部が内側に折り曲げられて係止部６８が設けられている。一方、器具本体２の中間ケース２１におけるノズル３１の両側部近傍に、炎長調整部材３２のレバー部３２ａの回動範囲を規制する受け部２８を備え、この受け部２８に前方よりノズルキャップ６の係止部６８が配置され、落下してしまった際に、ノズルキャップ６に衝撃が加わったとき中間ケース２１上端に当接するとともに、受け部２８に一時的に係止してノズルキャップ６の広がりを防止する。
【００２３】
また、ノズルキャップ６の天面６３の後部における天面隙間６５の両側部位が後方にヤスリ車５１の方向に延設された挟入部６９は、横車５２の間におけるヤスリ車５１との径差に伴う段差部分に挿入され、ノズルキャップ６に衝撃が加わった際に、一時的に両側の横車５２，５２の内側面に係止可能で天面隙間６５が広がる方向への変形を阻止する。
【００２４】
上記のようなノズルキャップ６の器具本体２の取り付けは、まず、図２に示す分離状態から、ノズルキャップ６の下端部を器具本体２の外形に合わせると共に、後端のフランジ部６１ａを支柱２３の後面に沿うように上方から押し下げると、ノズルキャップ６における両側壁６１の第１係合部６６の下部傾斜面が支柱２３の上端部に当接し、これをさらに押し下げると、側壁６１が若干広がるように変形しつつ、第１係合部６６が支柱２３の側面に沿って下方に移動する。
【００２５】
さらにノズルキャップ６を押し下げると、後部下端の第２係合部６７が第２係合受け部２７の内側に入り込み、前部下端の係止部６８が受け部２８の前方に下降し、上部の挟入部６９が両側の横車５２，５２の間に入り込み、図１のように最終段階で両側壁６１の第１係合部６６が支柱２３の第１係合受け部２６の内部に進入すると、両側壁６１の内側への弾性力によって第１係合部６６が第１係合受け部２６内に嵌入して係合し、側壁６１の外面が器具本体２の側面と連続するような状態に装着され、取り付けが完了する。
【００２６】
組み付け状態においては、ノズルキャップ６の側壁６１の下端部が器具本体２（中間ケース２１）に当接してそれ以上の下降移動が阻止されるとともに、第１係合部６６の上端と第１係合受け部２６の上端との係止によって上方へのノズルキャップ６の移動が阻止され、前後方向の移動についても第１係合部６６と第１係合受け部２６の恒常的な係合によって阻止され、さらに、ノズルキャップ６の側壁６１の拡開変形が、後部の第２係合部６７と第２係合受け部２７の係合および上部の挟入部６９と横車５２の内側面との係止によって阻止され、ノズルキャップ６が外れるのが有効に防止される。
【００２７】
そして、落下衝撃等によって、ノズルキャップ６に変形力が作用しても、複数箇所の各係合部６６，６７の係合および一時的な係止部６８、挟入部６９の係止によって、その変形が阻止され、堅固なノズルキャップ６の外れ防止機能が得られる。
【図面の簡単な説明】
【００２８】
【図１】本発明の一つの実施の形態に係るノズルキャップ外れ防止構造を備えた着火器の上部構造を示す斜視図
【図２】図１の着火器のノズルキャップを装着する前の分離状態を示す斜視図
【図３】従来の着火器の構造を示すノズルキャップと器具本体の斜視図
【符号の説明】
【００２９】
１    着火器
２    器具本体
３    着火部
４    作動レバー
５    点火機構
６    ノズルキャップ
26    第１係合受け部
27    第２係合受け部
28    受け部
31    ノズル
32    炎長調整部材
51    ヤスリ車
52    横車
61    側壁
62    前壁
63    天面
66    第１係合部
67    第２係合部
68    係止部
69    挟入部
【図１】
2005077061.tif 000003
【図２】
2005077061.tif 000004
【図３】
2005077061.tif 000005